(57)【要約】【課題】  ブロワによる乾燥効果を確保しながら、ブロワによる騒音を低減すること。【解決手段】  車両１に乾燥用空気を吹付けるブロワ３０を備えてなる洗車機１０の騒音制御方法において、洗車機１０の周辺に騒音規制点Ｐと、当該騒音規制点Ｐにおける騒音目標値Ａを定め、洗車機本体１２が騒音規制点Ｐから離隔した走行距離Ｌｘと、洗車機本体１２が当該走行距離Ｌｘに位置するときに騒音規制点Ｐの騒音が騒音目標値Ａを実現する、ブロワ３０を駆動するモータ３０Ａの回転数Ｎｘとの関係に基づくマップ制御により、洗車機本体１２の走行距離Ｌｘに応じて、上記モータ３０Ａの回転数Ｎｘを制御するもの。【選択図】  図４
2010089546.tif 000002
【特許請求の範囲】
【請求項１】
車両に乾燥用空気を吹付けるブロワを備えてなる洗車機において、
ブロワを駆動するモータの回転数を制御する制御手段を有し、
制御手段は、
洗車機本体が洗車機の周辺に定めた騒音規制点から離隔した走行距離と、洗車機本体が当該走行距離に位置するときに騒音規制点の騒音が騒音目標値を実現する上記モータの回転数との関係に基づくマップ制御により、
洗車機本体の走行距離に応じて、上記モータの回転数を制御することを特徴とする洗車機。
【請求項２】
前記洗車機本体が走行距離検出器を備え、制御手段は走行距離検出器が検出した洗車機本体の走行距離に応じて、前記モータの回転数を制御する請求項１に記載の洗車機。
【請求項３】
前記制御手段が前記モータのインバータを周波数制御する請求項１又は２に記載の洗車機。
【請求項４】
車両に乾燥用空気を吹付けるブロワを備えてなる洗車機の騒音制御方法において、
洗車機の周辺に騒音規制点と、当該騒音規制点における騒音目標値を定め、
洗車機本体が騒音規制点から離隔した走行距離と、洗車機本体が当該走行距離に位置するときに騒音規制点の騒音が騒音目標値を実現する、ブロワを駆動するモータの回転数との関係に基づくマップ制御により、
洗車機本体の走行距離に応じて、上記モータの回転数を制御することを特徴とする洗車機の騒音制御方法。
【発明の詳細な説明】
【技術分野】
【０００１】
本発明は洗車機及びその騒音制御方法に関する。
【背景技術】
【０００２】
洗車機は、洗車機本体を車両に対して移動させながら、回転ブラシにより車両の表面をブラッシング洗浄し、ブラッシング洗浄された車両にブロワにより乾燥用空気を吹付け、車両の表面に付着した水滴を吹飛ばしてこれを乾燥する。
【０００３】
特許文献１に記載の洗車機では、ブロワが発する騒音対策として、夜間等の所定の時間帯で、ブロワを駆動するモータの回転数を低下させることとしている。
【特許文献１】特開平7-32983
【発明の開示】
【発明が解決しようとする課題】
【０００４】
しかしながら、特許文献１に記載の洗車機では、所定の時間帯におけるモータの回転数を、洗車機本体が車両に対するいずれの走行位置にあっても、低下させる。このため、ブロワによる乾燥効果が全乾燥工程で低下する。
【０００５】
本発明の課題は、ブロワによる乾燥効果を確保しながら、ブロワによる騒音を低減することにある。
【課題を解決するための手段】
【０００６】
請求項１の発明は、車両に乾燥用空気を吹付けるブロワを備えてなる洗車機において、ブロワを駆動するモータの回転数を制御する制御手段を有し、制御手段は、洗車機本体が洗車機の周辺に定めた騒音規制点から離隔した走行距離と、洗車機本体が当該走行距離に位置するときに騒音規制点の騒音が騒音目標値を実現する上記モータの回転数との関係に基づくマップ制御により、洗車機本体の走行距離に応じて、上記モータの回転数を制御するようにしたものである。
【０００７】
請求項２の発明は、請求項１の発明において更に、前記洗車機本体が走行距離検出器を備え、制御手段は走行距離検出器が検出した洗車機本体の走行距離に応じて、前記モータの回転数を制御するようにしたものである。
【０００８】
請求項３の発明は、請求項１又は２の発明において更に、前記制御手段が前記モータのインバータを周波数制御するようにしたものである。
【０００９】
請求項４の発明は、車両に乾燥用空気を吹付けるブロワを備えてなる洗車機の騒音制御方法において、洗車機の周辺に騒音規制点と、当該騒音規制点における騒音目標値を定め、洗車機本体が騒音規制点から離隔した走行距離と、洗車機本体が当該走行距離に位置するときに騒音規制点の騒音が騒音目標値を実現する、ブロワを駆動するモータの回転数との関係に基づくマップ制御により、洗車機本体の走行距離に応じて、上記モータの回転数を制御するようにしたものである。
【発明の効果】
【００１０】
（請求項１、４）
(a)洗車機について予め定めた洗車機本体の走行距離とブロワを駆動するモータの回転数とのマップデータを用いることにより、洗車機本体が各走行位置のそれぞれにあるときに、騒音規制点の騒音を騒音目標値に規制しながら、ブロワを駆動するモータの回転数を最適制御する。従って、ブロワによる乾燥効果を確保しながら、ブロワによる騒音を低減することができる。
【００１１】
（請求項２）
(b)洗車機本体が備える走行距離検出器により、洗車機本体の走行距離を高精度に検出できる。
【００１２】
（請求項３）
(c)ブロワを駆動するモータのインバータを制御することにより、モータの回転数を高精度に制御できる。
【発明を実施するための最良の形態】
【００１３】
図１は洗車機を示す模式図、図２は洗車機本体の走行位置の変化を示す模式図、図３は洗車機の騒音制御回路を示すブロック図、図４は洗車機本体の走行距離とブロワの回転数の関係を示す模式図である。
【実施例】
【００１４】
洗車機１０は、図１に示す如く、洗車場に設けた左右のレール１１上を往復走行することにて、両レール１１の間の床面上に停車させた車両１に沿って移動する門型フレーム状の洗車機本体１２を有し、この洗車機本体１２にトップブラシ２１、サイドブラシ２２、トップノズル３１、サイドノズル３２を備える。
【００１５】
トップブラシ２１とサイドブラシ２２は、車両をブラッシング処理する回転ブラシ２０を構成し、それらの回転軸の周囲にブラシを植毛して構成される。洗車機１０は、清水供給管やワックス供給管等の配管類を洗車機本体１２に備え、清水やワックスの供給下で、トップブラシ２１とサイドブラシ２２を待機位置から車両１の側に移動し、トップブラシ２１の回転により車両１の上面を、サイドブラシ２２の回転により車両１の側面をブラッシング洗浄する。
【００１６】
トップノズル３１とサイドノズル３２は、ブロワ３０に接続される。ブロワ３０は、モータ３０Ａにより駆動され、トップノズル３１とサイドノズル３２に乾燥用空気を圧送する。トップノズル３１とサイドノズル３２は待機位置から車両１の側に移動し、それらの吹出し口を車両１の表面に対する適宜の角度にチルトして傾け、トップノズル３１が吹出す乾燥用空気を車両１の上面に吹付けてこれを乾燥し、サイドノズル３２が吹出す乾燥用空気を車両１の側面に吹付けてこれを乾燥する。
【００１７】
洗車機１０は、走行距離検出器４１、車形検出器４２、制御手段５０を有する。走行距離検出器４１は、洗車機本体１２の走行車輪等に備えられ、洗車機本体１２の走行距離を検出する。車形検出器４２は、例えば、洗車機１０の往復方向の前端寄りで、洗車エリアを挟む洗車機本体１２の左右両側に投光センサ群と受光センサ群を対向設置し、投光センサ群の鉛直方向に沿う検出ライン上に縦列配置させた各投光センサからの投光が車両１に遮られるか否かを、受光センサ群の鉛直方向に沿う検出ライン上に縦列配置させた各受光センサで検知することにより、検出ライン上での車体の有無を検出し、洗車機本体１２の各走行位置における、この検出結果を車形データとしてメモリに格納する。
【００１８】
制御手段５０は、走行距離検出器４１が検出した洗車機本体１２の各走行位置における車形データに基づいて、トップブラシ２１とサイドブラシ２２を制御してブラッシング洗浄し、ブロワ３０とトップノズル３１とサイドノズル３２を制御して乾燥処理し、車両１の洗車を行なう。
【００１９】
しかるに、洗車機１０は、ブロワ３０を駆動するモータ３０Ａの回転数（回転速度）を制御し、ブロワ３０による乾燥効果を確保しながら、ブロワ３０が周辺民家等に及ぼす騒音を低減するため、以下の構成を具備する。
【００２０】
制御手段５０は、図２に示す如く、洗車機１０の周辺に騒音規制点Ｐと、当該騒音規制点Ｐにおける騒音目標値Ａを定める。洗車機１０は、左右のレール１１に沿って洗車機本体１２を待機位置（走行起点）から往復走行させて洗車するとき、洗車機本体１２を騒音規制点Ｐに対して離隔〜接近させるものになる。尚、図２において、１０１は民家、１０２は洗車場と民家１０１との境界に設置された壁を示す。
【００２１】
制御手段５０は、洗車機１０の洗車中に、左右のレール１１上を往復走行する洗車機本体１２が騒音規制点Ｐから離隔した走行距離Ｌｘと、洗車機本体１２が当該走行距離Ｌｘに位置するときに騒音規制点Ｐで測定される騒音が騒音目標値Ａを実現するモータ３０Ａの回転数Ｎｘとの関係（マップデータ）に基づくマップ制御により、走行距離検出器４１が検出する洗車機本体１２の走行距離Ｌｘに応じて、モータ３０Ａの回転数を制御する。
【００２２】
制御手段５０は、走行距離検出器４１の検出結果を得て、図３に示す如く、ブロワ３０を駆動するモータ３０Ａのインバータ３０Ｂを周波数制御する。
【００２３】
このとき、制御手段５０のメモリに格納されるマップデータは、洗車機１０が現実に設置された洗車場及びその周辺において実測される等により作成され、洗車機本体１２が騒音規制点Ｐから離隔した走行距離Ｌｘに位置するときに、騒音規制点Ｐで測定される騒音が騒音目標値Ａを実現するモータ３０Ａの回転数の最大値を採用するものとされる。これにより、騒音規制点Ｐにおいて騒音目標値Ａを実現しながら、ブロワ３０により可及的に最大の乾燥効果を確保可能とする。
【００２４】
表１は、制御手段５０が用いるマップデータの一例を示すものである。騒音規制点Ｐにおける騒音目標値Ａは60dBとした。このマップデータを図示すれば、図４の如くになる。
【００２５】
【表１】
2010089546.tif 000003
【００２６】
制御手段５０により、洗車機本体１２の各走行距離Ｌｘにおいて、表１のマップデータが定める回転数Ｎｘでモータ３０Ａのインバータ３０Ｂをマップ制御したとき、騒音規制点Ｐで測定された騒音Ｂｘは表１に付記した通りである。ブロワ３０を駆動するモータ３０Ａの回転数は、洗車機本体１２が騒音規制点Ｐから離隔するに従って、増速制御されて乾燥効果を高められる。洗車機本体１２が騒音規制点Ｐに対するいずれの走行位置にあるときにも、騒音規制点Ｐの騒音Ｂｘは騒音目標値Ａ以下に規制される。
【００２７】
本実施例によれば以下の作用効果を奏する。
(a)洗車機１０について予め定めた洗車機本体１２の走行距離Ｌｘとブロワ３０を駆動するモータ３０Ａの回転数Ｎｘとのマップデータを用いることにより、洗車機本体１２が各走行位置のそれぞれにあるときに、騒音規制点Ｐの騒音を騒音目標値Ａに規制しながら、ブロワ３０を駆動するモータ３０Ａの回転数Ｎｘを最適制御する。従って、ブロワ３０による乾燥効果を確保しながら、ブロワ３０による騒音を低減することができる。
【００２８】
(b)洗車機本体１２が備える走行距離検出器４１により、洗車機本体１２の走行距離Ｌｘを高精度に検出できる。
【００２９】
(c)ブロワ３０を駆動するモータ３０Ａのインバータ３０Ｂを制御することにより、モータ３０Ａの回転数Ｎｘを高精度に制御できる。
【００３０】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００３１】
【図１】図１は洗車機を示す模式図である。
【図２】図２は洗車機本体の走行位置の変化を示す模式図である。
【図３】図３は洗車機の騒音制御回路を示すブロック図である。
【図４】図４は洗車機本体の走行距離とブロワの回転数の関係を示す模式図である。
【符号の説明】
【００３２】
１０  洗車機
１２  洗車機本体
３０  ブロワ
３０Ａ  モータ
３０Ｂ  インバータ
４１  走行距離検出器
５０  制御手段
Ａ  騒音目標値
Ｐ  騒音規制点
Ｌｘ  走行距離
Ｎｘ  回転数
【図１】
2010089546.tif 000004
【図２】
2010089546.tif 000005
【図３】
2010089546.tif 000006
【図４】
2010089546.tif 000007